(57)【要約】【課題】  冬場に、コールドドラフトを抑えて開口部の近くの床付近の温度が室内の他の部分に比べて著しく低下しない。冷暖房効率を向上させて冷暖房コストを低下させる。【解決手段】  建物の外壁１に設けた開口部２にサッシ戸３を設けると共に、該サッシ戸３の屋内側に隣接して内障子４を開閉自在に設ける。内障子４に真空断熱材５を内装する。【選択図】        図１
2006291508.tif 000002
【特許請求の範囲】
【請求項１】
建物の外壁に設けた開口部にサッシ戸を設けると共に、該サッシ戸の屋内側に隣接して内障子を開閉自在に設け、上記内障子に真空断熱材を内装して成ることを特徴とするサッシ戸・内障子を備えた開口部の構造。
【請求項２】
障子枠に面板を取付けて内障子を構成し、面板をフラッシュ構造としてその内部に真空断熱材を内装して成ることを特徴とする請求項１記載のサッシ戸・内障子を備えた開口部の構造。
【請求項３】
粉末又は繊維の断熱材よりなる芯材をガスバリア性の外皮材よりなる袋部に包み込むと共に内部を真空にして真空断熱材を構成し、該真空断熱材に袋部と一体に固定片を設け、該固定片部分でフラッシュ構造の面板を構成する面板構成部材に固着具により真空断熱材を固着して成ることを特徴とする請求項２記載のサッシ戸・内障子を備えた開口部の構造。
【請求項４】
建物の外壁の屋外側の開口部の側方位置に開口部を開閉するサッシ戸を収納自在とするサッシ戸収納部を設け、建物の外壁の屋内側の開口部の側方位置に開口部を開閉する内障子を収納自在とする内障子収納部を設け、サッシ戸をサッシ戸収納部に収納し且つ内障子を内障子収納部に収納した状態で開口部を全巾にわたって全開するように構成して成ることを特徴とする請求項１乃至請求項３のいずれかに記載のサッシ戸・内障子を備えた開口部の構造。
【発明の詳細な説明】
【技術分野】
【０００１】
本発明は、サッシ戸の屋内側に隣接して内障子を設けたサッシ戸・内障子を備えた開口部の構造に関するものである。
【背景技術】
【０００２】
建物の外壁に設けた開口部にはサッシ戸が設けてあって採光できるようにしているが、直射日光を遮光したり、あるいは、屋外からサッシ戸を通して室内が見えないようにしたり、あるいは、室内インテリア等を目的として開口部のサッシ戸よりも室内側にサッシ戸に隣接して内障子を開閉自在に設けるのが一般的に行われている。例えば、特許文献１参照。）
上記サッシ戸の屋内側に隣接して設けられる従来の内障子は、障子枠に障子紙を貼って構成してあるだけのものであった。
【０００３】
ところで、近年建物の外壁は内部に断熱材を配置することで断熱性に優れたものとなっているが、開口部の部分は上記のようにサッシ戸と内障子で閉じるものであるから、外壁の開口部以外の部分に比べて断熱性が著しく低いという問題がある。特に、冬場において、サッシ戸付近においては室内の空気が冷やされてサッシ戸に沿って上から下に向けて沿って冷気が流れ、このサッシ戸に沿って流れた冷気がサッシ戸の下端部付近で床に沿って流れるといういわゆる「コールドドラフト」という現象が生じ、このため、開口部の近くにおいては床上数十センチまでの範囲で室内の他の箇所に比べて著しく温度が低下してしまう。したがって、冬場に開口部の近くに蒲団を敷いて寝ると、ちょうどこのコールドドラフトにより低下した温度域で寝ることになり、室内の大部分の領域は比較的温度が高いののに蒲団を敷いて寝る部分のみがきわめて冷たい環境となっているという問題がある。また、室内を暖房するにしても、上記コールドドラフトで温度が低下する領域と室内の他の領域との間の温度差が大きく、快適さに欠けるという問題があるだけでなく、上記コールドドラフトで温度が低下する領域を丁度良い温度にしようとすれば室内の他の箇所の温度が必要以上に高くなるように暖房しなければならず、この場合は、室内の他の箇所の温度が高くなり過ぎて不快感が生じてしまい、また、暖房コストが高くなるという問題がある。
【０００４】
また、従来のサッシ戸の室内側に隣接して設けた内障子は単に障子枠に障子紙を貼っただけのものであるためきわめて断熱性に乏しく、サッシ戸の室内側に隣接して内障子を配置した場合も、上記コールドドラフト現象が生じ、上記と同様の問題が発生していた。
【０００５】
また、従来は夏場に冷房する場合も上記のように開口部における断熱性が低いため、冷房効率が悪く、冷房コストが高くなるという問題もあった。
【特許文献１】特開２０００−３０３５５４号公報
【発明の開示】
【発明が解決しようとする課題】
【０００６】
本発明は上記の従来の問題点に鑑みて発明したものであって、冬場に、コールドドラフトを抑えて開口部の近くの床付近の温度が室内の他の部分に比べて著しく低下しないようにでき、また、冷暖房効率を向上させて冷暖房コストを低下させることができるサッシ戸・内障子を備えた開口部の構造を提供することを課題とするものである。
【課題を解決するための手段】
【０００７】
上記課題を解決するために本発明に係るサッシ戸・内障子を備えた開口部の構造は、建物の外壁１に設けた開口部２にサッシ戸３を設けると共に、該サッシ戸３の屋内側に隣接して内障子４を開閉自在に設け、上記内障子４に真空断熱材５を内装して成ることを特徴とするものである。
【０００８】
このような構成とすることで、サッシ戸３の室内側に隣接して配置した内障子４が真空断熱材５により高い断熱性を発揮し、これにより冬季に室内側においてサッシ戸３に沿って冷気が床２６に向かって流れてサッシ戸３の下部近傍の床２６上方を冷やすコールドドラフトを抑えることができ、冬季にサッシ戸３の下部近くの温度と室内の他の箇所の温度との温度差が大きくならないようにでき、また、真空断熱材５は通常のグラスウールや発泡ウレタン等の断熱材に比べきわめて薄いものであっても高断熱性を発揮するので、外壁１などに比べて厚みが薄い内障子４に内装しても高い断熱性を発揮でき、上記コールドドラフトを内障子４で確実に抑制することが可能となり、また、このように内障子４が高い断熱性を有しているので室内空間の暖房、冷房が効率的に行え、暖房、冷房コストを低減できる。
【０００９】
また、障子枠６に面板７を取付けて内障子４を構成し、面板７をフラッシュ構造としてその内部に真空断熱材５を内装することが好ましい。
【００１０】
このような構成とすることで、対向する面板７間に真空断熱材５を内装してあるので、真空断熱材５が外部に露出せず、破損して真空が破れるというおそれがなくて長期間にわたって安定して高い断熱性を発揮できる。
【００１１】
また、粉末又は繊維の断熱材よりなる芯材８をガスバリア性の外皮材９よりなる袋部１０に包み込むと共に内部を真空にして真空断熱材５を構成し、該真空断熱材５に袋部１０と一体に固定片１１を設け、該固定片１１部分でフラッシュ構造の面板構成部材１５に固着具１２により真空断熱材５を固着することが好ましい。
【００１２】
このように真空断熱材５をフラッシュ構造の面板７を構成する面板構成部材１５に釘やビス等の固着具１２により固着することで、釘やビス等の固着具１２で袋部１０を貫通して固着する必要がなく、袋部１０が固着具１２の打入により破損して真空が破れて断熱性が低下するというようなおそれがない。
【００１３】
また、建物の外壁１の屋外側の開口部２の側方位置に開口部２を開閉するサッシ戸３を収納自在とするサッシ戸収納部１３を設け、建物の外壁１の屋内側の開口部２の側方位置に開口部２を開閉する内障子４を収納自在とする内障子収納部１４を設け、サッシ戸３をサッシ戸収納部１３に収納し且つ内障子４を内障子収納部１４に収納した状態で開口部２を全巾にわたって全開するように構成することが好ましい。
【００１４】
このような構成とすることで、サッシ戸３及び内障子４をそれぞれサッシ戸収納部１３、内障子収納部１４に収納することで、開口部２を全巾にわたって全開でき、サッシ戸３、内障子４に邪魔されることなく室内の開放感、通気量、視野を高めることができると共に開口部２から大きな荷物の出し入れをするに当たって、サッシ戸３、内障子４に邪魔されることなく出し入れできる。
【発明の効果】
【００１５】
本発明は、サッシ戸の室内側に配置した内障子の断熱性を高めることができて、冬場に、コールドドラフトを抑えて開口部の近くの床付近の温度が室内の他の部分に比べて著しく低下しないようにでき、また、冷暖房効率を向上させて冷暖房コストを低下させることができる。
【発明を実施するための最良の形態】
【００１６】
以下、本発明を添付図面に示す実施形態に基いて説明する。図１、図２に示すように建物の外壁１には開口部２が形成してあり、開口部２には窓枠１６が取付けてあり、窓枠１６にサッシ戸３が取付けてあり、更に、開口部２の上記窓枠１６の取付け部分よりも室内側にずれた位置に内障子取付け枠１７が取付けてあり、内障子取付け枠１７に内障子４が取付けてある。
【００１７】
外壁１内にはグラスウールや発泡ウレタン等の厚みの厚い断熱材２２が内装してある。
【００１８】
サッシ戸３はサッシ枠１８にガラス板のような透光板１９を取付けて構成してあり、添付図面に示す実施形態では二重ガラスの例が示してある。
【００１９】
内障子４は障子枠６に面板７を取付けて構成してある。面板７は図１、図２、図４に示すように木製の枠体２０の両面に表面板２１を取着して構成してあってフラッシュ構造をしており、内部に薄くて偏平な真空断熱材５が内装してある。ここで、上記枠体２０、表面板２１がフラッシュ構造の面板７を構成するための面板構成部材１５である。
【００２０】
真空断熱材５は図７に示すように、断熱材となるシリカ粉末などの粉体材料や、繊維材料などよりなる芯材８をアルミ箔のような金属箔、合成樹脂シート、金属ラミネート合成樹脂シート等のガスバリア性を有した（つまり非通気性の）外皮材９よりなる袋部１０内に包み込むと共に、袋部１０内部を真空にすることで、芯材８の断熱性に加え、真空とすることで気体熱伝導率を殆どゼロにしてより熱を伝え難い構造となっており、一般のグラスウール断熱材に比べ５〜２０倍、発泡ウレタンに比べ３倍〜１０倍の高い断熱性能を有している。したがって、内障子４の面板７という厚みの薄い部材の内部に内装することができるような約５〜１５ｍｍ程度の厚みの薄肉偏平な真空断熱材５であっても十分な断熱性能を発揮することができる。
【００２１】
つまり、本発明においては、外壁１の開口部２にサッシ戸３の室内側に隣接して上記のように薄い偏平な真空断熱材５を内装した内障子４が存在することで、厚みの厚いグラスウールや厚みの厚い発泡ウレタン等の断熱材２２を内装した外壁１に近い断熱性を有することになる。
【００２２】
このように高い断熱性能の内障子４をサッシ戸３の室内側に隣接して配置することで、内障子４を閉じた状態では、冬季に室内側においてサッシ戸３に沿って冷気が床２６に向かって流れてサッシ戸３の下部近傍の床２６上方を冷やすコールドドラフトを抑えることができるものであり、冬季にサッシ戸３の下部近くの温度と室内の他の箇所の温度との温度差が大きくならなず、室内のサッシ戸３近くの床２６付近が室内の他の箇所に比べて極端に温度が低いという現象がなく、また、室内を暖房する際に暖房効率が高くなり、暖房コストを下げることができる。また、内障子４が高い断熱性を有しているので夏季に冷房する際も冷房効率が高くなる。
【００２３】
ここで、サッシ戸３の透光板１９を二重ガラスにガラスで構成すると、上記真空断熱材５を内装した内障子４による断熱と、サッシ戸３の二重ガラスによる断熱とでよりいっそう、冬季における開口部２におけるコールドドラフト現象を防止し、冬季における暖房、夏季における冷房効率をよりいっそう向上させることができる。
【００２４】
図８には開口部２においてサッシ戸３の室内側に隣接して配置する内障子４の他の実施形態が示してある。本実施形態においては、障子枠６の上部にガラスや合成樹脂板等の透光板１９’を取付けて透光部４２とし、下部及び上下方向の中央部に内部に真空断熱材５を内装した面板７を取付けた例を示している。上記透光板１９’は二重（例えば二重ガラス）になっていて断熱性を高めるようになっている。
【００２５】
本実施形態においては、内障子４の上部に透光部を設けることで、内障子４を閉じた状態でも室内に採光ができるようにしてある。そして、透光部４２は上記のように透光板１９’を二重にすることで断熱性を高めるようにしたといえども真空断熱材５に比べると断熱性が低下するが、透光部４２を内障子４の上部に設けることで、内障子４の下部及び上下方向の中央部は真空断熱材５により高い断熱性能を有しており、したがって、コードルドラフトにより内障子４の下部近傍（つまりサッシ戸３の下部近傍）の床２６上方の温度が低下するという現象を抑えることができる。
【００２６】
図７（ａ）（ｂ）（ｃ）に示す実施形態においては、芯材８をガスバリア性の外皮材９よりなる袋部１０に包み込むと共に内部を真空にして構成した薄くて偏平な真空断熱材５に、袋部１０と一体に変形性を有する固定片１１を設けたものであり、袋部１０の外周の袋密封縁部１０ａから更に外方向に向けて袋部１０と一体に釘やビス等の固着具１２を打入して固定するのに必要な巾を有する固定片１１が連出してある。この固定片１１は固定片１１部分で釘打ちやビス打ち等の固着具１２の打入作業をする際、ハンマーやビス打ち具等が袋部１０に当たらないような余裕を持った巾寸法となっている。図７（ｂ）には薄くて偏平な真空断熱材５の両側に袋密封縁部１０ａから固定片１１を連出した例が示してあり、図７（ｃ）には薄くて偏平な真空断熱材５の全周の袋密封縁部１０ａから固定片１１を連出した例が示してある。
【００２７】
上記真空断熱材５は図５（ａ）、図５（ｂ）、図５（ｃ）のようにフラッシュ構造の面板７の内部に薄くて偏平な真空断熱材５を内装し、固定片１１部分でフラッシュ構造の面板構成部材１５である木製の枠体２０に釘やビス等の固着具１２により固着することで面板７に固着してある。このように真空断熱材５をフラッシュ構造の面板７を構成する面板構成部材１５に釘やビス等の固着具１２により固着することで、釘やビス等の固着具１２で袋部１０を貫通して固着する必要がなく、袋部１０が固着具１２の打入により破損して真空が破れて断熱性が低下するというようなおそれなく面板７に確実に取付けることができる。
【００２８】
なお、図５（ｂ）の実施形態では面板構成部材１５である木製の枠体２０として外周枠２０ａと、外周枠２０ａの内面に固着した補助枠２０ｂと、中枠２０ｃとがあり、補助枠２０ｂ、中枠２０ｃはいずれも外周枠２０ａよりも固定片１１の厚み分だけ薄く、外周枠２０ａ、補助枠２０ｂ、中枠２０ｃの各片面は同一面となって表面板２１が直接固定してあり、他の片面側においては補助枠２０ｂ、中枠２０ｃの他方の片面が外周枠２０ａの他方の片面よりも内側に引き込んでいるので、この補助枠２０ｂ、中枠２０ｃの他方の片面に上記真空断熱材５の固定片１１を重ねて固着具１２により固着してある。補助枠２０ｂ、中枠２０ｃの他方の片面に上記真空断熱材５の固定片１１を重ねることで固定片１１と外周枠２０ａの他方の片面とが面一となるので、この面一となった部分に他方の表面板２１を確実に取付けることができ、同時に固定片１１は表面板２１と補助枠２０ｂ又は中枠２０ｃとで挟持された状態となって、より確実且つ強固に真空断熱材５が面板７に取付けられることになる。ここで、固定片１１は表面板２１と補助枠２０ｂ又は中枠２０ｃとで挟持した状態で固定片１１を介して固着具１２で固着してもよい。
【００２９】
また、図５（ｃ）の実施形態では、木製の枠体２０が厚み方向に２つ割りされた半割り枠部２０ｄにより構成してあり、両半割り枠部２０ｄ間に固定片１１を介在して両半割り枠部２０ｄで固定片１１を挟持した状態で固着具１２で固着してある。
【００３０】
また、図６（ａ）、図６（ｂ）においては、固定片１１又は袋部１０を接着剤により接着することで固定した例であるが、この例は固着具１２による固着に比べると接着剤の硬化に時間がかかるため生産性に劣る。勿論、固着具１２による固着と接着剤による固着とを併用すると、接着剤が硬化していなくても固着具１２で固着してあるので、直ぐに次工程に送ることができ、生産性が良い。
【００３１】
図１乃至図３に示す実施形態においては、サッシ戸３を取付けるための窓枠１６は全部又は一部が外壁１の外面側に位置するように取付けてあり、窓枠１６の外壁１の外面側に位置する部分は、大別して開口部２に対応した開口部側窓枠部２３と、開口部２の一側端部よりも側方にずれ且つ外壁１の外面に沿った収納部側枠部２４とに区分けされる。窓枠１６は縦枠２５とサッシ用上レール枠２７、サッシ用下レール枠２８とを枠組みして構成してある。
【００３２】
サッシ用上レール枠２７とサッシ用下レール枠２８とにはそれぞれ開口部２の上縁部及び下縁部に沿った複数列のサッシ走行レール２９が設けてあり、各サッシ走行レール２９の端部はそれぞれ開口部２の側端部より離れる方向に外壁１に沿って連出していて各連出部分がそれぞれサッシ収納用レール３０となっている。つまり、サッシ収納用レール３０はサッシ用上レール枠２７、サッシ用下レール枠２８の収納部側枠部２４に設けてあり、この収納部側枠部２４部分がサッシ戸収納部１３となっている。
【００３３】
窓枠１６には上記サッシ用上下レール枠２７、２８よりも室内側においてサッシ用上レール枠２７、サッシ用下レール枠２８間に開口縦枠部３１が形成してある。
【００３４】
図１に示すように、窓枠１６の縦枠２５の室内側の部分及び開口縦枠部３１を開口部２の両側部の屋外側における出隅部分に配設して取付けてある。また、サッシ用上レール枠２７、サッシ用下レール枠２８の開口部２に対応する部分は室内側に向けて取付け部が突設してあり、この取付け部を開口部２の上下の屋外側における出隅部分に配設して取付けてある。
【００３５】
端部がサッシ収納用レール３０となった複数列のサッシ走行レール２９にはそれぞれサッシ戸３をそれぞれ走行自在に取付けてある。サッシ戸３の透光板１９としては透明、半透明、不透明のいずれであってもよいが、透光性は有しているものが用いられ、室内に外光を取り入れることができるようになっている。
【００３６】
また、添付図面に示す実施形態においては屋内外方向に２列に並設した２本のサッシ走行レール２９にそれぞれ１枚ずつ合計２枚のサッシ戸３を走行自在とした例が示してあるが、サッシ走行レール２９の数、サッシ戸３の数は上記のものにのみ限定されず、要は各サッシ戸３を開口部２と対向するように引き出すと共に隣接するサッシ戸３の端部同士を重複させた状態で複数のサッシ戸３により開口部２を閉じることができ、また、各サッシ戸３をサッシ収納用レール３０に移動させた状態で開口部２を全開させることができるものであれば、サッシ走行レール２９の数、サッシ戸３の数は特に限定されるものではない。
【００３７】
各サッシ戸３を開口部２と対向するように引き出すと共に隣接するサッシ戸３の端部（つまりサッシ枠１８の縦枠部分）同士を重複させて複数のサッシ戸３により開口部２を閉じた状態で、開口部２に対向した複数のサッシ戸３のうち室内側から見て最も手前に位置するサッシ戸３を最もサッシ収納用レール３０側にずれて位置させ、室内側から見て最も手前に位置するサッシ戸３のサッシ収納用レール３０側の縦枠と、開口部２のサッシ収納用レール３０側の開口縦枠部３１との水密を止水手段により保持するようになっている。また、各サッシ戸３を開口部２と対向するように引き出すと共に隣接するサッシ戸３の端部同士を重複させた状態で複数のサッシ戸３により開口部２を閉じた状態で、隣接するサッシ戸３の端部同士の重複部分において止水手段により重複部分における水密性を確保するようになっている。
【００３８】
上記の構成の窓装置は複数のサッシ戸３を閉じて各サッシ走行レール２９の端部のサッシ収納用レール３０に収納することで、開口部２にサッシ戸３が殆ど位置しないように開口部２の屋外側を全巾にわたって全開することができ、また、各サッシ収納用レール３０からそれぞれサッシ戸３を引き出して複数のサッシ戸３を開口部２と対向させると共に隣接するサッシ戸３の端部（サッシ枠１８の端部の縦枠）同士を重複させることで複数のサッシ戸３により開口部２を屋外側において閉じることができるものである。
【００３９】
一方、内障子取付け枠１７の全部又は一部が外壁１の屋内側に位置するように取付けてあり、窓枠１６の外壁１の屋内側に位置する部分は、大別して開口部２に対応した内障子用開口枠部３５と、開口部２の一側端部よりも側方にずれ且つ外壁１の屋内側の面に沿った内障子収納部１４とに区分けされる。内障子取付け枠１７は左右両縦枠３６、３７と上下枠３８、３９と中間縦枠３４とを枠組みして構成してある。
【００４０】
上下枠３８、３９の開口部２に対応した部分は１枚の内障子４が走行できるように構成してあり、上下枠３８、３９の開口部２の側方に位置した部分は複数枚の内障子４を前後に重ねて収納できるように前後（屋内外方向）幅を広くした内障子収納部１４となっている。そして、中間縦枠３４は前後に分割してあって、前後の中間縦枠３４間が隙間を形成していて、該隙間を介して上下枠３８、３９に走行自在に配置した内障子４が開口部２に対応した前後巾の狭い部分から前後巾の広い内障子収納部１４にかけて走行できるようにしてある。添付図面に示す実施形態では内障子４が複数枚設けてあり、複数枚の内障子４を一列にして上下枠３８、３９の開口部２に対応した部分に配置することで、内障子４で開口部２を全閉することができ、また、複数枚の内障子４を内障子収納部１４に移動させて前後に重ねて収納することで、開口部２の室内側の部分を全巾方向にわたって全開することができる。
【００４１】
したがって、本発明においては、サッシ戸３及び内障子４をそれぞれサッシ戸収納部１３、内障子収納部１４に収納することで、開口部２を全巾にわたって全開でき、サッシ戸３、内障子４に邪魔されることなく室内の開放感、通気量、視野を高めることができると共に開口部２から大きな荷物の出し入れをするに当たって、サッシ戸３、内障子４に邪魔されることなく出し入れできる。
【００４２】
なお、添付図面に示す実施形態においては、サッシ用上レール枠２７、サッシ用下レール枠２８の外側に、網戸用上レール枠４０、網戸用下レール枠４１を設け、この網戸用上レール枠４０、網戸用下レール枠４１の開口部２から側方にずれた部位により網戸収納部４３を構成してあり、網戸用上レール枠４０、網戸用下レール枠４１に複数の網戸４４が走行自在に取付けてある。この実施形態によれば、サッシ戸３及び内障子４をそれぞれサッシ戸収納部１３、内障子収納部１４に収納した状態で、網戸４４により開口部２を閉じることで開口部２を全巾にわたって全開した状態で防虫を図ることができるようになっており、防虫を必要としないときは網戸４４を網戸収納部４３に移動させることで開口部２に対向した部分に網戸４４が存在しないようにできる。
【図面の簡単な説明】
【００４３】
【図１】本発明の横断面図である。
【図２】同上の開口部部分における縦断面図である。
【図３】同上のサッシ戸収納部、内障子収納部部分における縦断面図である。
【図４】同上の真空断熱材を内装したフラッシュ構造の面板の分解斜視図である。
【図５】（ａ）（ｂ）（ｃ）はそれぞれ同上の真空断熱材を内装したフラッシュ構造の面板の各例を示す一部省略断面図である。
【図６】（ａ）（ｂ）はそれぞれ同上の真空断熱材を内装したフラッシュ構造の面板の更に別の各例を示す一部省略断面図である。
【図７】（ａ）は同上に用いる真空断熱材の要部断面図であり、（ｂ）（ｃ）は同上に用いる真空断熱材の各例を示す全体斜視図である。
【図８】同上に用いる内障子の他の実施形態の正面図である。
【符号の説明】
【００４４】
１  外壁
２  開口部
３  サッシ戸
４  内障子
５  真空断熱材
６  障子枠
７  面板
８  芯材
９  外皮材
１０  袋部
１１  固定片
１２  固着具
１３  サッシ戸収納部
１４  内障子収納部
【図１】
2006291508.tif 000003
【図２】
2006291508.tif 000004
【図３】
2006291508.tif 000005
【図４】
2006291508.tif 000006
【図５】
2006291508.tif 000007
【図６】
2006291508.tif 000008
【図７】
2006291508.tif 000009
【図８】
2006291508.tif 000010